(57)【要約】      （修正有）【課題】胴膨れを起こりにくくすることができる段ボールケースを提供する。【解決手段】段ボールケース１は、上面２、正面４、底面６、背面８、左側面１７、及び右側面１８を有する。正面４とその両側のフラップ４ａ，４ｂの間の縦罫線１２ａ，１２ｂは、正面４が広がる向きに湾曲し、背面８とその両側のフラップ８ａ，８ｂの間の縦罫線１４ａ，１４ｂは、背面６が広がる向きに湾曲する。段ボールケース１を組立てたとき、正面４及び背面８が段ボールケース１の内方に向かって凹む。【選択図】図４
0003184759.tif 000002
【実用新案登録請求の範囲】
【請求項１】
段ボールケース（１）であって、
上面（２）、正面（４）、底面（６）、背面（８）、左側面（１７）、及び右側面（１８）を有し、
正面（４）と左側面（１７）の間の縦罫線（１２ａ）及び正面（４）と右側面（１８）の間の縦罫線（１２ｂ）は、正面（４）が広がる向きに湾曲し、
背面（８）と左側面（１７）の間の縦罫線（１４ａ）及び背面（８）と右側面（１８）の間の縦罫線（１４ｂ）は、背面（８）が広がる向きに湾曲し、
段ボールケース（１）を組立てたとき、正面（４）及び背面（８）が段ボールケース（１）の内方に向かって凹むことを特徴とする段ボールケース。
【請求項２】
複数の内容物が段ボールケース内に充填配列され、凹んだ正面及び背面が内容物に接触することを特徴とする請求項１に記載の段ボールケース。
【請求項３】
前記内容物は容器であることを特徴とする請求項２に記載の段ボールケース。
【請求項４】
前記縦罫線（１２ａ、１２ｂ、１４ａ、１４ｂ）は、円弧で形成されることを特徴とする請求項１〜３のいずれか１項に記載の段ボールケース。
【請求項５】
縦罫線が直線で形成されたと仮定したときに対する、湾曲した縦罫線（１２ａ、１２ｂ、１４ａ、１４ｂ）の最大ずれ量（ｄ）は、１〜３ｍｍであることを特徴とする請求項４に記載の段ボールケース。
【請求項６】
直方体形状であることを特徴とする、請求項１〜５のいずれか１項に記載の段ボールケース。
【請求項７】
展開形態において、上面（２）、正面（４）、底面（６）、及び背面（８）は、直線状に一繋がりに形成され、
展開形態において、上面（２）、正面（４）、底面（６）、及び背面（８）の各々の両側に隣接してフラップ（２ａ，２ｂ，４ａ，４ｂ，６ａ，６ｂ，８ａ，８ｂ）が設けられ、前記フラップは、左側面（１７）及び右側面（１８）を構成することを特徴とする請求項１〜６のいずれか１項に記載の段ボールケース。
【請求項８】
展開形態において、左側面（１７）、正面（４）、右側面（１８）、及び背面（８）は、直線状に一繋がりに形成され、
展開形態において、左側面（１７）、正面（４）、右側面（１８）、及び背面（８）の各々の上下両側に隣接してフラップ（１７ａ，１７ｂ，４ａ，４ｂ，１８ａ，１８ｂ，８ａ，８ｂ）が設けられ、前記フラップ（１７ａ，１７ｂ，４ａ，４ｂ，１８ａ，１８ｂ，８ａ，８ｂ）は、上面（２）及び底面（６）を構成することを特徴とする請求項１〜６のいずれか１項に記載の段ボールケース。
【考案の詳細な説明】
【技術分野】
【０００１】
本考案は、段ボールケースに関する。
【背景技術】
【０００２】
ラップラウンド型の段ボールケース等、積み重ねられる段ボールケースが知られている（例えば、特許文献１）。
【先行技術文献】
【特許文献】
【０００３】
【特許文献１】特開２００７−０３９０９０号公報
【考案の概要】
【考案が解決しようとする課題】
【０００４】
従来の段ボールケースを積み重ねると、下側の段ボールケースが、上側の段ボールケースから力を受け、上下方向中央部が膨らむ、所謂、胴膨れが生じることがある。したがって、下側の段ボールケースを隙間なく並べても、その上に段ボールケースを積み重ねると、下側の段ボールケースに胴膨れが生じ、結果として、下側の段ボールケースの間に隙間ができてしまうことがあった。この場合、積み重ねられた段ボールケースの安定性が損なわれることがある。
【０００５】
そこで、本考案は、胴膨れを起こりにくくすることができる段ボールケースを提供することを目的とする。
【課題を解決するための手段】
【０００６】
上記目的を達成するために、本考案による段ボールケースは、上面、正面、底面、背面、左側面、及び右側面を有し、正面と左側面の間の縦罫線及び正面と右側面の間の縦罫線は、正面が広がる向きに湾曲し、背面と左側面の間の縦罫線及び背面と右側面の間の縦罫線は、背面が広がる向きに湾曲し、段ボールケースを組立てたとき、正面及び背面が段ボールケースの内方に向かって凹むことを特徴としている。
【０００７】
このように構成された段ボールケースでは、組立てられた段ボールケース１に上から荷重をかけたとき、縦罫線が湾曲して正面及び背面が段ボールケースの内方に向かって凹んでいるので、正面及び背面は、段ボールケース内の内容物と接触することが可能である。正面と背面が内容物と接触することにより、上からの荷重を、段ボールケースだけでなく内容物によって受けることができ、段ボールケースの上下方向の耐圧縮強度を増大させることができる。その結果、胴膨れを起こりにくくすることができる。
【０００８】
本考案による段ボールケースの実施形態において、好ましくは、複数の内容物が段ボールケース内に充填配列され、凹んだ正面及び背面が内容物に接触する。さらに好ましくは、内容物は容器である。
【０００９】
本考案による段ボールケースの実施形態において、好ましくは、縦罫線は、円弧で形成される。また、好ましくは、縦罫線が直線で形成されたと仮定したときに対する、湾曲した縦罫線の最大ずれ量は、１〜３ｍｍである。
【００１０】
本考案による段ボールケースの実施形態において、段ボールケースは、好ましくは、直方体形状である。
【００１１】
本考案による段ボールケースの実施形態において、好ましくは、展開形態において、上面、正面、底面、及び背面は、直線状に一繋がりに形成され、展開形態において、上面、正面、底面、及び背面の各々の両側に隣接してフラップが設けられ、フラップは、左側面及び右側面を構成する。
【００１２】
本考案による段ボールケースの実施形態において、好ましくは、展開形態において、左側面、正面、右側面、及び背面は、直線状に一繋がりに形成され、展開形態において、左側面、正面、右側面、及び背面の各々の上下両側に隣接してフラップが設けられ、フラップは、上面及び底面を構成する。
【考案の効果】
【００１３】
本考案による段ボールケースによって、胴膨れを起こりにくくすることができる。
【図面の簡単な説明】
【００１４】
【図１】本考案による段ボールケースの１つの実施形態の展開図である。
【図２】図１の段ボールケースの縦罫線の拡大図である。
【図３】図１の段ボールケースの斜視図である。
【図４】本考案による変形例の段ボールケースの斜視図である。
【考案を実施するための形態】
【００１５】
以下、図面を参照して、本考案による段ボールケースの１つの実施形態を説明する。図１は、かかる段ボールケースの展開図であり、図２は、図１の段ボールケースの縦罫線の拡大図であり、図３は、組立てられた段ボールケースの斜視図である。
【００１６】
図１及び図３に示すように、本考案による実施形態である段ボールケース１は、上面２、正面４、底面６、背面８、左側面１７、及び右側面１８を有している。本実施形態では、段ボールケース１は、ラップラウンド型のものであり、直方体形状を有している。展開形態において、上面２、正面４、底面６、及び背面８は、直線状に一繋がりに形成され、それぞれの面の両側に隣接してフラップ２ａ、２ｂ、４ａ、４ｂ、６ａ、６ｂ、８ａ、８ｂが設けられている。フラップ２ａ、２ｂ、４ａ、４ｂ、６ａ、６ｂ、８ａ、８ｂは、左側面１７及び右側面１８を構成する。また、段ボールケース１は、背面８に隣接して形成され且つ組立て時に上面２に糊付けされる接続フラップ１０を有している。
【００１７】
正面４とその両側のフラップ４ａ、４ｂの間に、縦罫線１２ａ、１２ｂが設けられ、背面８とその両側のフラップ８ａ、８ｂの間に、縦罫線１４ａ、１４ｂが設けられている。また、上面２、正面４、底面６、背面８、及び接続フラップ１０の間に横罫線１６が設けられている。横罫線１６は、直線で形成されている。
【００１８】
図２に示すように、正面４とその両側のフラップ４ａ、４ｂの間の縦罫線１２ａ、１２ｂは、正面４が広がる向きに湾曲し、例えば、円弧で形成されている。同様に、背面８とその両側のフラップ８ａ、８ｂの間の縦罫線１４ａ、１４ｂは、背面８が広がる向きに湾曲し、例えば、円弧で形成されている。縦罫線が直線で形成されたと仮定したとき（図２の二点鎖線参照）に対する、本実施形態の縦罫線１２ａ、１２ｂ、１４ａ、１４ｂの湾曲は僅かでよく、最大ずれ量ｄは、箱の大きさにもよるが、１〜３ｍｍであることが好ましい。
【００１９】
内容物、例えば容器（複数のボトル、カップ麺の容器、缶等）を包装しながら段ボールケース１を組立てるとき、底面６の上に、縦横方向に配列された内容物を配置し、正面４、背面８、及び上面２を折畳んで、内容物を包囲し、接続フラップ１０と上面２を糊付けする。また、上面２、正面４、底面６、及び背面８の両側のフラップ２ａ、２ｂ、４ａ、４ｂ、６ａ、６ｂ、８ａ、８ｂを折畳み、互いに糊付けする。それにより、充填配列された内容物を含む段ボールケース１が形成される。
【００２０】
図３に示すように、組立てられた段ボールケース１において、正面４とその両側のフラップ２ａ，２ｂの間の縦罫線１２ａ，１２ｂが、正面４が広がる向きに湾曲し、且つ、背面６とその両側のフラップ６ａ，６ｂの間の縦罫線１４ａ，１４ｂは、背面８が広がる向きに湾曲しているので、正面４及び背面８が段ボールケース１の内方に向かって凹んでいる。凹み量は、段ボールケース１が直方体形状に見えるように僅かでよい。
【００２１】
組立てられた段ボールケース１に上から荷重をかけたとき、縦罫線１２ａ，１２ｂ，１４ａ，１４ｂが湾曲して、正面４及び背面８が段ボールケース１の内方に向かって凹んでいるので、正面４及び背面８は、段ボールケース１内の内容物と接触することが可能である。正面４と背面８が内容物と接触することにより、上からの荷重を、段ボールケース１だけでなく内容物によって受けることができ、段ボールケース１の上下方向の耐圧縮強度を増大させることができる。その結果、胴膨れを起こりにくくすることができる。
【００２２】
これに対して、縦罫線が直線である従来技術の段ボールケースでは、上からの荷重がコーナー部に集中して、段ボールケースが横方向に広がるように変形し、その結果、胴膨れが生じることになる。
【００２３】
結果として、段ボールケース１の上面２及び底面６の４辺を互いに隙間なく積み重ねることが可能である。それにより、積み重ねられた段ボールケース１の安定性を向上させることができる。
【００２４】
以上、本考案の実施形態を説明したが、本考案は、上記実施形態に限定されることなく、実用新案登録請求の範囲に記載された考案の範囲内で種々の変更が可能であり、それらも本考案の範囲内に包含されるものであることはいうまでもない。
【００２５】
上記実施形態では、直線状に一繋がりに形成された上面２、正面４、底面６、背面８は、上面２と背面８の間が分離し、上面２と背面８の間に設けられた接続フラップ１０によって環状に組立てられ、接続フラップ１０は、背面８に隣接して形成されていた。しかしながら、接続フラップ１０は、上面２に隣接して形成されていてもよい。また、分離する箇所は任意であり、例えば、上面２と正面４の間、正面４と底面６の間、又は、底面６と背面８の間が分離し、それらの間に設けられた接続フラップによって、上面２、正面４、底面６、背面８が環状に組立てられてもよい。
【００２６】
また、上記実施形態では、本考案による段ボールケースは、展開形態において上面２、正面４、底面６、背面８が直線状に一繋がりに形成された、所謂、ラップラウンド型の段ボールケース１であったが、図４に示すように、展開形態において左側面１７、正面４、右側面１８、背面８が直線状に一繋がりにされた、所謂、Ａ式段ボールケース１’であってもよい。この場合、例えば、展開形態において正面４、右側面１８、背面８、及び左側面１７の各々の上下両側に隣接してフラップ４ａ，４ｂ，１８ａ，１８ｂ，８ａ，８ｂ,１７ａ，１７ｂが設けられ、フラップ４ａ，４ｂ，１８ａ，１８ｂ，８ａ，８ｂ,１７ａ，１７ｂが、上面２及び底面６を構成し、正面４に隣接して接続フラップ１０’が設けられる。また、正面４と接続フラップ１０’の間及び正面４と右側面１８の間に、湾曲した縦罫線１２ａ、１２ｂが設けられ、背面８と左側面１７の間及び背面８と右側面１８の間に、湾曲した縦罫線１４ａ、１４ｂが設けられる。
【００２７】
一繋がりにされた正面４、右側面１８、背面８、及び左側面１７について、接続フラップ１０’が右側面１８に隣接して設けられ、左側面１７と接続フラップ１０’の間に、湾曲した縦罫線１２ａが設けられてもよい。同様に、正面４と右側面１８の間、右側面１８と背面８の間、又は、背面８と左側面１７の間が分離し、そのいずれかの面に隣接して接続フラップが設けられ、それにより、左側面１７、正面４、右側面１８、背面８が環状に組立てられてもよい。この場合、上記いずれかの面と接続フラップの間に、湾曲した縦罫線が設けられる。
【００２８】
上記実施形態では、段ボールケース１は、直方体形状であったが、湾曲した縦罫線１２ａ、１２ｂ、１４ａ、１４ｂにより、正面４及び背面８が内方に湾曲し、内容物と接触することができれば、段ボールケースの形状は任意である。
【符号の説明】
【００２９】
１、１’  段ボールケース
２  上面
２ａ、２ｂ  フラップ
４  正面
４ａ、４ｂ  フラップ
６  底面
６ａ、６ｂ  フラップ
８  背面
８ａ、８ｂ  フラップ
１２ａ、１２ｂ  縦罫線
１４ａ、１４ｂ  縦罫線
１７  左側面
１７ａ、１７ｂ  フラップ
１８  右側面
１８ａ、１８ｂ  フラップ
【図１】
0003184759.tif 000003
【図２】
0003184759.tif 000004
【図３】
0003184759.tif 000005
【図４】
0003184759.tif 000006